(57)【要約】      （修正有）【課題】簡易な構造で設置コストが低廉な汚濁透水濾過装置を提供する。【解決手段】引き込んだ水流を緩衝させる汚濁タンクと前記汚濁タンクに外壁よりも高さの低い内壁を隔てて併設され汚濁タンクから流入する汚水を濾過する濾過タンクからなる第１タンクと、前記濾過タンクに壁を隔てて連設され、前記壁に貫通して設けた接続管を介して前記濾過タンクに連結されて、前記濾過タンクで濾過された浄水を貯水する第２タンクからなることを特徴とする。前記濾過タンクに、内部が第１層から第４層の４つの層からなり第３層と第４層の間に周面を吸水シートで覆った暗渠管を複数本配置させて、一端を前記接続管に接続し、第１層の上面内壁側に傾斜を持たせた状態で緩衝砕石を設置する。【選択図】図１
0003152612.tif 000002
【実用新案登録請求の範囲】
【請求項１】
引き込んだ水流を緩衝させる汚濁タンクと前記汚濁タンクに外壁よりも高さの低い内壁を隔てて併設され汚濁タンクから流入する汚水を濾過する濾過タンクからなる第１タンクと、前記濾過タンクに壁を隔てて連設され、前記壁に貫通して設けた接続管を介して前記濾過タンクに連結されて、前記濾過タンクで濾過された浄水を貯水する第２タンクからなることを特徴とする汚濁透水濾過装置。
【請求項２】
前記濾過タンクを内部が第１層から第４層の４つの層からなり、第３層と第４層の間に周面を吸水シートで覆った暗渠管を複数本配置させて一端を前記接続管に接続し、第１層の上面内壁側に傾斜を持たせた状態で緩衝砕石を設置した濾過タンクとしたことを特徴とする請求項１に記載の汚濁透水濾過装置。
【請求項３】
前記濾過タンクの第１層、第３層及び第４層を粒の細かい洗砂とし、第２層を粒の粗い砕石としたことを特徴とする請求項１又は請求項２のいずれかに記載の汚濁透水濾過装置。
【請求項４】
前記第１タンクに引込み管を配して汚水を引き込み、前記第２タンクにポンプに接続された吸上げ管を配して浄水を吸い上げて放水管を通して排水することを特徴とする請求項１乃至請求項３のいずれか１項に記載の汚濁透水濾過装置。
【考案の詳細な説明】
【技術分野】
【０００１】
本考案は、湖沼などの汚れた水を濾過し、浄化した後に綺麗な水を湖沼に戻して湖沼を綺麗にするための汚濁透水濾過装置に関する。
【背景技術】
【０００２】
従来、生活排水等は下水処理場を通して湖沼、川、海に排出されており、自然環境を汚さないシステムが整備されていた。
【０００３】
しかしながら、工業廃水や前記の下水処理場を通すことなく排出されることがあり、湖沼等が汚染される結果となっていた。
【０００４】
また、アオコや藻、プランクトンの異常発生等によっても湖沼等が汚れ、周辺住民による浄化運動では手に負えない状況となっていた。
【０００５】
以上のような状況から、電気分解浄化装置が開発され、汚水浄化の効果が認められているが、構造が複雑なため設置費用が膨大であることや、広大な湖沼では相当数の浄化装置を設置して短期間に浄化をしなければ汚染速度に勝ることができず、結果として小規模な範囲での汚水浄化としてのみ有効であった。
【先行技術文献】
【特許文献】
【０００６】
【特許文献１】特開２０００−３０１１７６号公報
【特許文献２】特開平１１−２５３９８９号公報
【考案の概要】
【考案が解決しようとする課題】
【０００７】
そこで、本考案は、簡易な構造で設置コストが低廉な汚濁透水濾過装置を提供することを目的とするものである。
【課題を解決するための手段】
【０００８】
本考案は、上記の課題を解決するために、引き込んだ水流を緩衝させる汚濁タンク２ａと前記汚濁タンク２ａに外壁よりも高さの低い内壁２ｄを隔てて併設され汚濁タンク２ａから流入する汚水を濾過する濾過タンク２ｂからなる第１タンク２と、前記濾過タンク２ｂに壁２ｅを隔てて連設され、前記壁２ｅに貫通して設けた接続管４ｃを介して前記濾過タンク２ｂに連結されて、前記濾過タンク２ｂで濾過された浄水を貯水する第２タンク２ｃからなることを特徴とする汚濁透水濾過装置と、
前記濾過タンク２ｂを、内部が第１層から第４層の４つの層からなり第３層と第４層の間に周面を吸水シートで覆った暗渠管を複数本配置させて一端を前記接続管４ｃに接続し、第１層の上面内壁側に傾斜を持たせた状態で緩衝砕石３を設置した濾過タンク２ｂとした汚濁透水濾過装置と、
前記濾過タンク２ｂの、第１層３ａ、第３層３ｃ及び第４層３ｄを粒の細かい洗砂とし、第２層３ｂを粒の粗い砕石とした汚濁透水濾過装と、
前記第１タンク２に引込み管７を配して汚水を引き込み、前記第２タンク２ｃにポンプに接続された吸上げ管６ａを配して浄水を吸い上げて放水管６ｂを通して排水する汚濁透水濾過装置の構成とした。
【考案の効果】
【０００９】
本考案である汚濁透水濾過装置は、簡易な構造であるため設置コストが低廉に抑えることができ、広大な湖沼であっても浄化するに十分な数の装置を設置することが可能である。
【００１０】
また、タンク内の清掃が容易であり、面倒な機械操作もなく、装置の専門家でなくてもメンテナンスが容易ある。
【図面の簡単な説明】
【００１１】
【図１】本考案である汚濁透水濾過装置の全体図である。
【図２】本考案である汚濁透水濾過装置の濾過タンクの一部拡大図である。
【図３】本考案である汚濁透水濾過装置の暗渠管の配設図である。
【図４】本考案である汚濁透水濾過装置の暗渠管の拡大図である。
【図５】本考案である汚濁透水濾過装置を設置した状態を示した関係図である。
【考案を実施するための形態】
【００１２】
以下に、添付図面に基づいて、本考案である汚濁透水濾過装置について詳細に説明する。
【実施例１】
【００１３】
図１は本考案である汚濁透水濾過装置の全体図、図２は汚濁透水濾過装置の濾過タンクの一部拡大図、図３は汚濁透水濾過装置の暗渠管の配設図、図４汚濁透水濾過装置の暗渠管の拡大図、図５は汚濁透水濾過装置を設置した状態を示した関係図である。
【００１４】
図１から図３に示すように、本考案である汚濁透水濾過装置１は、引き込んだ水流を緩衝させる汚濁タンク２ａと前記汚濁タンク２ａに外壁よりも高さの低い内壁２ｄを隔てて併設され汚濁タンク２ａから流入する汚水を濾過する濾過タンク２ｂからなる第１タンク２と、前記濾過タンク２ｂに壁２ｅを隔てて連設され、前記壁２ｅに貫通して設けた接続管４ｃを介して前記濾過タンク２ｂに連結されて、前記濾過タンク２ｂで濾過された浄水を貯水する第２タンク２ｃからなる。
【００１５】
前記第１タンク２は、汚濁タンク２ａと濾過タンク２ｂからなり、前記汚濁タンク２ａと濾過タンク２ｂは内壁２ｄにより隔てられている。
【００１６】
前記内壁２ｄは第１タンク２の外壁よりも低く、そのため汚濁タンク２ａに流入した湖水５ａ（汚水）の水位が内壁２ｄよりも高くなった部分については濾過タンク２ｂへ流れ込むようになっている。
【００１７】
前記濾過タンク２ｂは、内部が第１層から第４層の４つの層３ａ、３ｂ、３ｃ、３ｄからなり第３層３ｃと第４層３ｄの間に周面を吸水シート４ｂで覆った暗渠管４を複数本配置させて一端を前記接続管４ｃに接続し、第１層３ａの上面内壁２ｄ側に傾斜を持たせた状態で緩衝砕石３を設置している。
【００１８】
前記濾過タンク２ｂの第１層３ａ、第３層３ｃ及び第４層３ｄは、粒の細かい洗砂が使用され、第２層３ｂには粒の粗い砕石が使用されている。但しこれらは限定したものではなく、汚水の濾過に適した素材であればよい。
【００１９】
前記第１層３ａの上面の内壁２ｄ側に傾斜を持たせた状態で設置された緩衝砕石３は、汚濁タンク２ａから流入する湖水５（汚水）により粒の細かい第１層３ａの洗砂が水中で巻き上げられるのを防ぐために設けられている。この緩衝砕石３により、第１層３ａが掘り下げられずに平らな状態を維持することができる。
【００２０】
図１から図４に示すように、濾過タンク２ｂの第３層３ｃと第４層３ｄの間には複数本の暗渠管４、４、４・・・が平行かつ等間隔に設置されている。この暗渠管４は一端が接続管４ｃに接続されており、周面は給水シート４ｂで覆われている。
【００２１】
暗渠管４は周面に無数の小さい孔４ａが穿設されており、各層で濾過された浄水が最終的に給水シート４ｂでも濾過されて暗渠管４内に流れ込み、接続管４ｃを通って第２タンク２ｃに流れてゆく。
【００２２】
前記暗渠管４の周面を覆う給水シート４ｂは複数箇所で紐４ｄ等の結束材料を使用して固定されている。
【００２３】
図１及び図５に示すように、前記第１タンク２には湖沼などの汚水を引き込むための引込み管７が設置されており、この引込み管７の他端を湖沼や川などに直接配置して汚水を引き込んでも良く、また、水量が足りない場合や悪地形により引き込みが上手くいかない場所ではポンプ７ａを使用して引き込んでもよい。
【００２４】
一方、前記第２タンク２ｃには吸上げ管６ａが取り付けられており、吸上げ管６ａの他端を直接湖沼や川に接続して自然に放流しても良く、また水量が足りずに上手く放流出来ない場合は、ポンプ６を使用して吸い上げ、放水管６ｂを通して湖沼等へ放流しても良い。
【００２５】
以上のように、湖沼（汚水）の引き込みや浄水の放流は基本的に自然の流れで行うことができれば設置コストを格段に低く抑えることが出来るが、悪地形や湖沼等から離れた場所に設置した場合は、ポンプ６、７ａ等を介して引き込み及び放流をすることとなる。但し、ポンプ６、７ａを使用しても従来の大掛かりな浄水装置よりも低廉な設置コストで設置できることに変わりはない。
【産業上の利用可能性】
【００２６】
本考案である汚濁透水濾過装置は、簡易な構造で設置コストが低廉であるため、湖沼の大きさにあわせて複数設置することが容易であり、従来よりこ効果的に汚水を浄化することができ環境汚染が進む全国の湖沼地域において有効である。
【符号の説明】
【００２７】
１    汚濁透水濾過装置
２    第１タンク
２ａ  汚濁タンク
２ｂ  濾過タンク
２ｃ  第２タンク
２ｄ  内壁
２ｅ  壁
３    緩衝砕石
３ａ  第１層
３ｂ  第２層
３ｃ  第３層
３ｄ  第４層
４    暗渠管
４ａ  孔
４ｂ  吸水シート
４ｃ  接続管
４ｄ  紐
５    湖水
５ａ  湖水
５ｂ  浄水
６    ポンプ
６ａ  吸上げ管
６ｂ  放水管
７    引込み管
７ａ  ポンプ
７ｂ  引込み管
８    湖沼
【図１】
0003152612.tif 000003
【図２】
0003152612.tif 000004
【図３】
0003152612.tif 000005
【図４】
0003152612.tif 000006
【図５】
0003152612.tif 000007